(57)【要約】【課題】患者の状態として姿勢を適切に判定することが可能な姿勢判定装置等を提供すること。【解決手段】少なくとも２つの振動センサと、制御部と、を有する姿勢判定装置であって、前記制御部は、前記振動センサより対象者の臥床時における振動を検出し、前記検出された振動から波形を算出し、前記波形の特徴を認識することで、前記特徴から対象者の姿勢を判定する、ことを特徴とする。【選択図】図１
2019098069.tif 000002
【特許請求の範囲】
【請求項１】
少なくとも２つの振動センサと、制御部と、を有する姿勢判定装置であって、
前記制御部は、
前記振動センサより対象者の臥床時における振動を検出し、
前記検出された振動から波形を算出し、
前記波形の特徴を認識することで、前記特徴から対象者の姿勢を判定する、
ことを特徴とする姿勢判定装置。
【請求項２】
前記制御部は、
前記振動センサの自己のセンサ内の波形に基づく相関及び／又は２つの振動センサの波形に基づく相関から、前記対象者の姿勢を判定することを特徴とする姿勢判定装置。
【請求項３】
少なくとも２つの振動センサと、制御部と、を有する姿勢判定装置であって、
前記制御部は、
前記振動センサより対象者の臥床時における振動を検出し、
自己の前記振動センサ内の相関及び／又は前記２つの振動センサ間の相関から、前記対象者の姿勢を判定することを特徴とする姿勢判定装置。
【請求項４】
前記制御部は、
前記波形の周波数分布を算出し、当該算出された周波数分布に基づいて前記対象者の姿勢を判定することを特徴とする請求項１又は２に記載の姿勢判定装置。
【請求項５】
振動センサと、制御部と、を有する姿勢判定装置であって、
前記制御部は、
前記振動センサより対象者の臥床時における振動を検出し、
前記検出された振動の周波数分布を算出し、当該算出された周波数分布に基づいて前記対象者の姿勢を判定することを特徴とする姿勢判定装置。
【請求項６】
前記制御部は、
前記振動センサにより、対象者の体動が検出されたとき以外で、前記対象者の姿勢を判定することを特徴とする請求項１から５の何れか一項に記載の姿勢判定装置。
【発明の詳細な説明】
【技術分野】
【０００１】
本発明は、姿勢判定装置に関する。
【背景技術】
【０００２】
従来から患者のベッド装置上における患者の状態を判定する発明は知られている。例えば、特許文献１には、在床状態検出装置が、ベッドに配置され、ベッドに与えられる振動のベッドの長手方向に沿う成分とベッドの床面に対して鉛直方向に沿う成分とを別々に検出する振動検出部と、振動検出部が検出した振動から前記ベッド上に存在する生体の心拍に由来する心拍振動信号を抽出する信号抽出部と、信号抽出部が抽出した心拍振動信号に基づいてベッド上の前記生体の姿勢を推定する状態推定部と、を備えて構成された発明が開示されている。
【０００３】
また、特許文献２には、利用者の姿勢、及び利用者の寝台上又は寝台外における位置の少なくとも一方を含む利用者状態を取得する利用者状態取得ユニットと、利用者状態が危険状態に該当するか否かを判断する危険判断ユニットと、利用者状態が安全状態に該当するか否かを判断する安全判断ユニットと、有効状態及び無効状態のうちいずれか一方を設定する状態設定ユニットと、利用者状態が危険状態に該当すると判断し、且つ有効状態である場合に報知処理を行う報知ユニットとを備え、状態設定ユニットは、報知処理が行われたとき、有効状態から無効状態に切り替えるとともに、無効状態において利用者状態が安全状態に該当すると判断したとき、無効状態から有効状態に切り替えることを特徴とする報知装置が開示されている。
【先行技術文献】
【特許文献】
【０００４】
【特許文献１】特開２０１１−１２０６６７号公報
【特許文献２】特開２０１６−１９２９９８号公報
【発明の概要】
【発明が解決しようとする課題】
【０００５】
本発明が目的とするところは、体振動波形から、患者の姿勢を適切に判定することが可能な姿勢判定装置を提供することである。
【課題を解決するための手段】
【０００６】
上述した課題を解決するために、本発明の患者姿勢判定装置は、少なくとも２つの振動センサと、制御部と、を有する姿勢判定装置であって、前記制御部は、前記振動センサより対象者の臥床時における振動を検出し、前記検出された振動から波形を算出し、前記波形の特徴を認識することで、前記特徴から対象者の姿勢を判定する、ことを特徴とする。
【発明の効果】
【０００７】
本発明の姿勢判定装置によれば、体振動波形から心拍数・呼吸数・活動量等の他の生体情報や睡眠状態と併せて、対象者の状態の１つとして、対象者の姿勢を適切に判定することができる。
【図面の簡単な説明】
【０００８】
【図１】第１実施形態における全体を説明するための図である。
【図２】第１実施形態における構成を説明するための図である。
【図３】第１実施形態における構成を説明するための図である。
【図４】第１実施形態におけるセンサを説明するための図である。
【図５】第１実施形態における患者姿勢判定処理について説明するための図である。
【図６】第１実施形態における患者姿勢判定処理について説明するための図である。
【図７】第１実施形態における腹臥位の波形の一例を示す図である。
【図８】第１実施形態における仰臥位の波形の一例を示す図である。
【図９】第１実施形態における左側臥位の波形の一例を示す図である。
【図１０】第１実施形態における右側臥位の波形の一例を示す図である。
【図１１】第１実施形態における周波数成分の一例を示す図である。
【図１２】第２実施形態における患者姿勢判定処理について説明するための図である。
【図１３】第２実施形態における姿勢判定条件について説明するための図である。
【図１４】第２実施形態における波形の状態について説明するための図である。
【図１５】第３実施形態における患者状態推測部の機能構成を説明するための図である。
【図１６】第４実施形態におけるニューラルネットワークを説明するための図である。
【図１７】適用例としてベッド装置を説明するための図である。
【図１８】適用例の場合の処理について説明するための図である。
【発明を実施するための形態】
【０００９】
以下、図面を参照して本発明を実施するための一つの形態について説明する。患者離床時の転倒防止の観点から、比較例では、離床（在床）を検出することが多く行われていた。しかし、在床時に患者がどのような姿勢であるかを検知することは行われていなかった。
【００１０】
患者の姿勢としては、例えば離床前の行動として端座位の検出等が行われる場合、ベッドの広範囲にセンサを多数設置すること等で臥位と座位を判別等が行なわれる場合があるが、患者が寝ているときの向き（例えば、仰臥位、腹臥位、側臥位等）を判定することはできなかった。
【００１１】
患者の姿勢を判定するためには、例えば別にカメラ装置等を設け、患者を監視するか、画像解析を行う必要があった。この場合、患者を監視する側の負担が大きかった。また、カメラにより常時撮影する必要があるため、プライバシーを守る観点から、患者に反対される場合もあった。
【００１２】
そこで、本実施形態の姿勢判定装置によれば、ベッド装置上において、患者が就寝しているときの振動を検出するだけで、患者の姿勢までも検出することができることが可能となる。
【００１３】
なお、本明細書で患者とは、ベッド装置（マットレス）を利用する者をいい、病気で治療を受けるものに限られず、施設で介護を受ける者や、ベッド装置で就寝する者であれば対象者として適用可能である。
【００１４】
［１．第１実施形態］
［１．１  システム全体］
図１は、本発明の姿勢判定装置を適用したシステム１の全体概要について説明するための図である。図１に示すように、システム１は、ベッド装置１０の床部と、マットレス２０の間に載置される検出装置３と、検出装置３より出力される値を処理するため処理装置５を備えて構成されている。この検出装置３、処理装置５とで患者の姿勢を判定するシステムを構成している。
【００１５】
マットレス２０に、対象者（以下、一例として「患者Ｐ」とする）が在床すると、対象者である患者Ｐの生体信号として体振動（人体から発せられる振動）を検出装置３が検出する。また、検出された振動に基づいて、患者Ｐの生体情報値が算出可能である。
【００１６】
算出された生体情報値（例えば、呼吸数、心拍数、活動量）を、患者Ｐの生体情報値として出力・表示してもよい。
【００１７】
また、検出装置３に記憶部、表示部等を設けることにより処理装置５と一体に形成されてもよい。また、処理装置５は、汎用的な装置で良いため、コンピュータ等の情報処理装置に限られず、例えばタブレットやスマートフォン等といった装置で構成されてもよい。また、検出装置３が通信機能を有している場合には、処理装置５の代わりにサーバ装置に接続してもよい。
【００１８】
また、対象者としては、病気療養中の者であったり、介護が必要なものであったりしてもよい。また、介護が必要でない健康な者であっても、高齢者でも子供でも、障害者でも、人でなくても動物でも良い。
【００１９】
ここで、検出装置３は、厚さが薄くなるようにシート状に構成されている。これにより、ベッド装置１０と、マットレス２０の間に載置されたとしても、患者Ｐに違和感を覚えさせることなく使用できるため、寝床での患者の状態を長期間検出できることとなる。
【００２０】
なお、検出装置３は、患者Ｐの振動を検出できればよい。例えば、歪みゲージ付きアクチュエータやベッドの脚等に配置された荷重を計測するロードセルを利用したりしても良い。また、内蔵された加速度センサ等を利用することにより、例えばベッド装置１０上に載置されたスマートフォンや、タブレット等で実現してもよい。
【００２１】
また、図１において、ベッド装置１０（マットレス２０）において頭側を方向Ｈ、足側を方向Ｆとし、患者Ｐが仰臥位のときの左側を方向Ｌ、右側を方向Ｒとする。
【００２２】
［１．２  構成］
つづいて、システム１の構成について、図２から図４を参照して説明する。本実施形態におけるシステム１は、検出装置３と、処理装置５とを含む構成となっており、各機能部（処理）は、振動検出部１１０以外についてはどちらで実現されても良い。すなわち、これらの装置を組み合わせることにより、姿勢判定装置として機能する。
【００２３】
システム１（姿勢判定装置）は、制御部１００と、振動検出部１１０と、生体情報算出部１２０と、波形算出部１３０と、周波数分布算出部１３５と、患者状態判定部１４０と、記憶部１５０と、入力部１６０と、出力部１７０とを含んでいる。
【００２４】
制御部１００は、システム１の動作を制御している。例えば、ＣＰＵ（Central Processing Unit）等の制御装置である。制御部１００は、記憶部１５０に記憶されている各種プログラムを読み出して実行することにより各種処理を実現することとなる。なお、本実施形態においては、制御部１００は全体として動作しているが、後で説明する図４のように検出装置３、処理装置５のそれぞれに設けることもできるものである。
【００２５】
振動検出部１１０は、検出装置３上の振動を検出し、振動データを取得する。本実施形態では、一例として、圧力変化を検出するセンサを利用して患者の動き等に基づく振動（体振動）を検出する。検出された振動に基づき振動データが取得され、生体情報算出部１２０、波形算出部１３０、周波数分布算出部１３５に出力されて処理される。なお、出力される振動データは、アナログの振動データの場合もあるし、ディジタルの振動データの場合もある。
【００２６】
また、振動検出部１１０は、例えば、圧力センサにより患者の振動を検出して振動データを取得してもよいし、圧力センサの代わりにマイクロフォンを設けることにより、マイクロフォンが拾う音に基づいて生体信号を取得し、当該生体信号から振動データを取得しても良い。また、加速度センサ、静電容量センサや荷重センサの出力値から、振動データを取得してもよい。このように、何れかの方法を用いて生体信号（患者の体動を示す体振動）を取得できればよい。
【００２７】
生体情報算出部１２０は、振動データから、患者Ｐの生体信号を取得し、生体情報値（呼吸数・心拍数・活動量等）を算出する。本実施形態では、振動検出部１１０より取得された振動（体振動）データから呼吸成分・心拍成分を抽出し、呼吸間隔、心拍間隔に基づいて呼吸数、心拍数を求めても良い。また、体動の周期性を分析（フーリエ変換等）し、ピーク周波数から呼吸数、心拍数を算出してもよい。
【００２８】
波形算出部１３０は、振動検出部１１０から入力されたアナログの振動データを所定のサンプリング間隔でディジタルの電圧信号に変換し、体振動の波形（振動波形）を算出する。
【００２９】
なお、本実施形態において、説明の都合上、振動検出部１１０において出力される振動データから、波形算出部１３０により振動データの波形（振動波形）が算出され、算出された波形に基づいて処理を実行することとして説明する。しかし、波形算出部１３０を有さず、振動データに基づいて各種処理を実行してもよい。
【００３０】
また、周波数分布算出部１３５は、振動（波形）から周波数分布を算出する。例えば、周波数分布算出部１３５は、波形算出部１３０により算出された波形を高速フーリエ変換（ＦＦＴ： Fast Fourier Transform）することにより、周波数成分を算出する。
【００３１】
患者状態判定部１４０は、患者の状態を判定する。例えば、振動検出部１１０により取得された振動データや、生体情報算出部１２０により算出された生体情報値、ベッド装置１０に別に設けられた荷重センサ等により、患者の状態を判定する。
【００３２】
本実施形態では、患者状態判定部１４０は、主に患者の姿勢（仰臥位、腹臥位、側臥位）を判定する。また、患者状態判定部１４０は、端座位等の他の患者の姿勢や、姿勢以外（例えば、離床、在床等）を判定してもよい。
【００３３】
記憶部１５０は、システム１が動作するための各種データ及びプログラムを記憶している。制御部１００は、記憶部１５０に記憶されているプログラムを読み出して実行することにより、各種機能を実現することとなる。ここで、記憶部１５０は、半導体メモリ（例えば、ＳＳＤ（Solid State Drive）やＳＤカード（登録商標））や、磁気ディスク装置（例えば、ＨＤＤ（Hard Disk Drive））等により構成されている。また、記憶部１５０は、内蔵される記憶装置であってもよいし、着脱可能な外部記憶装置であってもよい。また、クラウド等の外部サーバの記憶領域であってもよい。
【００３４】
記憶部１５０には、振動データ記憶領域１５２と、波形データ記憶領域１５４との領域が確保されている。
【００３５】
振動データ記憶領域１５２は、振動検出部１１０から出力される振動データを記憶する。ここで、振動データとして記憶される間隔としては、所定時間毎であればよく、例えば１秒毎や５秒毎といった短い間隔であってもよいし、３０秒、１分、５分といった比較的長い間隔であってもよい。
【００３６】
波形データ記憶領域１５４は、振動検出部１１０より出力された振動データ又は振動データ記憶領域１５２に記憶された振動データに基づいて波形算出部１３０が算出した振動の波形のデータ（波形データ）を記憶する。なお、本実施形態では、波形データとして波形データ記憶領域１５４に記憶されることとして説明するが、波形算出部１３０がその都度必要に応じて波形データを算出してもよい。
【００３７】
なお、波形データ記憶領域１５４は、説明の都合上記憶領域として確保されているが、適宜振動データから算出され、一時記憶されれば十分である。
【００３８】
入力部１６０は、利用者からの操作入力を受け付ける。例えば、利用者により、振動取得の開始操作が行われたり、振動検出部１１０の感度の調整が行われたりと、各種操作入力が行われる。
【００３９】
出力部１７０は、各種情報を出力する。例えば、液晶ディスプレイの表示装置や、ＬＥＤ等の発光部材、音や音声を出力するスピーカ、他の記録媒体にデータを出力するインタフェース等で構成される。また、入力部１６０と、出力部１７０とを一体に構成することにより、タッチパネルとして構成してもよい。
【００４０】
ここで、上述した構成のうち、生体情報算出部１２０、波形算出部１３０、周波数分布算出部１３５、患者状態判定部１４０は、主にソフトウェアにより実現される。例えば、記憶部１５０に記憶されたソフトウェアを制御部１００が読み出して実行する。ソフトウェアが実行されると、制御部１００が各構成として実現されることとなる。
【００４１】
すなわち、制御部１００が、生体情報算出部１２０、波形算出部１３０、周波数分布算出部１３５、患者状態判定部１４０を実現するプログラムを読み込み、実行することで、制御部１００が各構成の機能を有することとなる。
【００４２】
また、図２はシステム１として姿勢判定装置について概念的に構成を説明したものである。これらの構成は、例えば１つの振動検出可能な装置で実現されてもよいし、図１のように、検出装置３、処理装置５と分かれて構成されてもよい。また、処理装置５の代わりに、同じサービスを提供可能な外部サーバで実現されてもよい。
【００４３】
図２のシステム１を、図１の検出装置３及び処理装置５で実現する場合について、図３を参照して説明する。検出装置３は、制御部３００と、センサである振動検出部３２０と、記憶部３３０と、通信部３９０とを含んでいる。
【００４４】
また、制御部３００は、記憶部３３０に記憶されたソフトウェア（プログラム）を実行することにより、生体情報算出部３１０として機能する。振動検出部３２０は、検出された振動に基づいて振動データを出力する。
【００４５】
生体情報算出部３１０は、当該振動データに基づいて生体情報を算出する。そして、算出された生体情報（値）は、生体情報データ３４０に記憶されたり、通信部３９０を介して、処理装置５に送信されたりする。また、併せて振動検出部３２０で検出された振動データも、通信部３９０を介して処理装置５に送信される。
【００４６】
検出装置３から処理装置５に振動データを送信するタイミングや、生体情報データ３４０に生体情報値（生体情報）を記憶するタイミングとしては、リアルタイムであってもよいし、所定時間毎であってもよい。
【００４７】
なお、振動検出部３２０は、図２の振動検出部１１０である。ここで、振動検出部３２０について、図４を用いて説明する。
【００４８】
図４は、ベッド装置１０（マットレス２０）を上から見た図である。図４は、上側が図１の方向Ｈ、下側が図１の方向Ｆの方向である。また、図４の右側が図１の方向Ｆ、図４の左側が図１の方向Ｒである。
【００４９】
検出装置３は、ベッド装置１０と、マットレス２０との間や、マットレス２０の上に載置される。載置される場所としては、好ましくは患者の背中近傍であるため、少なくともベッド装置１０（マットレス２０）の中央よりＨ側に寄った方向となる。
【００５０】
また、検出装置３には、センサ（振動検出部１１０／３２０）が内蔵されている。当該センサは、例えば振動センサであり、患者の振動（体振動）を検出することができる。そして、センサは少なくとも２つ設けられており、例えば図４では、検出装置３の左右に２つ（振動センサ３２０ａ、振動センサ３２０ｂ）設けられている。
【００５１】
この振動センサ３２０ａ、振動センサ３２０ｂは、所定の間隔を離して設けられている。２つの間隔は、例えば、患者の横方向の幅となる程度であればよく、好ましくは２つのセンサの間隔は１５〜６０ｃｍ程度である。
【００５２】
また、図３の生体情報算出部３１０は、図２の生体情報算出部１２０である。また、通信部３９０は、例えば、ネットワーク（例えば、ＬＡＮ／ＷＡＮ）に接続可能な通信インタフェースである。
【００５３】
処理装置５は、制御部５００と、記憶部５３０と、入力部５４０と、出力部５５０と、通信部５９０とを含んでいる。処理装置５は、検出装置３から、通信部５９０を介して振動データを受信する。受信された振動データは、振動データ記憶領域５３２に記憶される。
【００５４】
制御部５００は、記憶部５３０に記憶されているソフトウェア（プログラム）を実行することにより、波形算出部５０２、周波数分布算出部５０４、患者状態判定部５０６として機能する。また、波形算出部５０２により算出された波形データは、波形データ記憶領域５３４に記憶される。
【００５５】
なお、波形算出部５０２は、図２の波形算出部１３０である。周波数分布算出部５０４は、図２の周波数分布算出部１３５である。患者状態判定部５０６は、図２の患者状態判定部１４０である。入力部５４０は、図２の入力部１６０である。出力部５５０は、図２の出力部１７０である。記憶部５３０は、図２の記憶部１５０である。
【００５６】
［１．３  処理の流れ］
つづいて、本実施形態における姿勢判定処理について、図５を参照して説明する。姿勢判定処理は、患者状態判定部１４０により実行される処理である。
【００５７】
まず、制御部１００（患者状態判定部１４０）は、振動データを取得する（ステップＳ１０２）。患者状態判定部１４０は、振動データを振動データ記憶領域１５２から読み出すか、振動検出部１１０より受信することにより、取得する。
【００５８】
つづいて、振動データに基づいて、センサ間の相関や、センサ内の相関に基づき、患者の姿勢が判定される。本実施形態では、例えば、波形算出部１３０は、波形を算出し、波形データとして出力する（ステップＳ１０４）。波形データは、振動センサ毎に算出される。例えば、図４で示したように、本実施形態においては、振動センサが２つ（振動センサ３２０ａ、振動センサ３２０ｂ）設けられていることから、波形データもそれぞれ算出される。
【００５９】
また、波形データは、波形データ記憶領域１５４に記憶されてもよいし、出力部１７０により出力されてもよい。例えば、出力部１７０が表示装置であれば、波形データが表示装置に表示される。
【００６０】
つづいて、患者状態判定部１４０は、波形データからセンサ間の相関があるか否かを判定する（ステップＳ１０６）。ここで、センサ間の相関は、２つのセンサ（例えば、図４の振動センサ３２０ａ、振動センサ３２０ｂ）から取得された振動データに基づいて算出された波形に類似性があるか否かを判定する方法の一つである。
【００６１】
一例として、２つの波形に対して、相互相関関数を利用する。相互相関関数は、２つの波形の類似度にもとづいて「０」〜「１」に規格化された値が出力される。この値は、２つの波形の類似度により変化する。例えば、相互相関関数の値が「１」の場合は２つの波形が完全に一致しており類似度が最大であることがわかる。また、相互相関関数の値が「０」の場合、２つの波形は全く一致しておらず、類似度が最小であることがわかる。
【００６２】
そして、患者状態判定部１４０は、２つの波形に相関があるか否かを判定する場合、相互相関関数の出力値が、相互相関関数閾値を超えたか否かにより判定する。例えば、相互相関関数閾値を「０．７」とした場合、相互相関関数の出力値が「０．７」以下であれば２つの波形は相関がないと判定する。他方、相互相関関数の出力値が「０．７」を超えれば、２つの波形は相関があると判定する。
【００６３】
次に、患者状態判定部１４０は、センサ間の相関がある場合には、（ステップＳ１０６；Ｙｅｓ）、患者の姿勢は「仰臥位もしくは腹臥位」として判定される（ステップＳ１１６〜Ｓ１２０）。なお、睡眠中に腹臥位となる時間は極端に短いため、患者の姿勢は「仰臥位もしくは腹臥位」と判定されるだけでもよいが、腹臥位は窒息リスクが高く乳幼児突然死症候群との関連も報告されていること、腹臥位時には電動ベッドの自動運転時を禁止する等の目的のため、仰臥位と腹臥位をさらに判定してもよい。
【００６４】
すなわち、センサ内の相関があるか否かを判定する（ステップＳ１０６；Ｙｅｓ→ステップＳ１１６）。ここで、センサ内の相関があるか否かは、例えば波形における周期性の強さを評価する。一例として、１つのセンサの波形に対して、自己相関関数を利用することで相関があるか否かを判定する。自己相関関数は、同じセンサ内の波形の周期性の強さに基づいて「０」〜「１」に規格化された値が出力される。例えば、自己相関関数の値が「１」の場合は、波形データが完全に周期的に出力されており、完全なセンサ内の相関があることが分かる。
【００６５】
また、フーリエ変換やカイ２乗ピリオドグラムなどを用いて周期性の強さを「０」〜「１」に規格化された値として算出しても良い。
【００６６】
そして、患者状態判定部１４０は、１つの波形に相関があるか否かを判定する場合、自己相関関数の出力値が、自己相互関数閾値を超えたか否かにより判定してもよい。例えば、自己相関関数閾値を「０．７」とした場合、自己相関関数の出力値が「０．７」以下であれば算出された波形（検出された１つの振動データ）には相関がないと判定する。他方、自己相関関数の出力値が０．７を超えれば、当該波形は相関があると判定する。
【００６７】
患者状態判定部１４０は、センサ内の相関があると判定した場合は患者の姿勢は「仰臥位」と判定する（ステップＳ１１６；Ｙｅｓ→ステップＳ１１８）。他方、患者状態判定部１４０は、センサ内の相関がないと判定した場合は患者の姿勢は腹臥位と判定する（ステップＳ１１６；Ｙｅｓ→ステップＳ１１８）。
【００６８】
また、患者状態判定部１４０は、ステップＳ１０６において、センサ間の相関がないと判定した場合（ステップＳ１０６；Ｎｏ）、患者の姿勢は「側臥位」として判定される（ステップＳ１１０）。なお、患者の姿勢は「側臥位」と判定されるだけでも良いが、体位変換の有無を確認するため、患者に麻痺側がある場合などは麻痺側を下にして寝ていないか注意する必要があるため、右側臥位と左側臥位をさらに判定しても良い（ステップＳ１１４）。
【００６９】
この場合、左側臥位の場合は、右側臥位より心拍信号の入力が大きくなる。したがって、心拍信号が所定以上抽出される場合（高周波信号が抽出される場合）は、左側臥位として判定する。
【００７０】
心拍信号の入力の大きさを判定する方法としては、種々の方法があるが、例えば、呼吸信号に相当する周波数成分に対する心拍信号に相当する周波数成分の比率、ハイパスフィルタ処理を施したデータの信号強度などを用いれば良い。
【００７１】
このように、本実施形態によれば、振動データから、患者の姿勢（寝姿勢）を判定することができる。
【００７２】
また、説明の都合上、波形算出部１３０により算出された波形データに基づいてセンサ間の相関や、センサ内の相関の有無を判定することとして説明したが、単純に振動データに基づいてセンサ間の相関や、センサ内の相関を判定してもよい。この場合、ステップＳ１０４の処理は実行されなくてよい。
【００７３】
また、上述した実施形態では、患者の振動データから、波形を算出して患者の姿勢を判定したが、周波数分布の形状を評価して姿勢を判定してもよい。この場合、２つ以上のセンサで取得した振動の周波数分布の形状を総合的に評価したほうが精度は高くなるが、振動を取得するセンサは１つであってもよい。
【００７４】
例えば、周波数分析を利用して、患者の姿勢を判定する処理について、図６を参照して説明する。図５と同様に、振動検出部１１０から振動データを取得し（ステップＳ１５２）、波形算出部１３０により、波形データが算出（出力）される（ステップＳ１５４）。
【００７５】
つづいて、周波数分布算出部１３５は、波形算出部１３０により出力された波形データの周波数分布を算出する（ステップＳ１５６）。例えば、周波数分布のうち、高周波数成分が算出されない場合、患者の姿勢は「側臥位」と特定される。
【００７６】
姿勢により、心臓の位置とセンサの位置との関係が異なるため、その間にある体の組織（筋肉、脂肪、骨、内臓等）が異なる。したがって、振動の伝わり方も変わるため、計測される周波数成分に違いが現れる。
【００７７】
心臓の動き、呼吸による胸腹部の動く方向は決まっている。例えば、呼吸による胸腹部の動きは、仰臥位のときはセンサ（振動検出部１１０）と垂直方向に大きく動くことになる。また、側臥位のときは、センサ（振動検出部１１０）と平行方向の動きが大きくなる。よって、患者の姿勢毎に周波数分布が異なる。したがって、姿勢毎に周波数分布を記憶させておき、実際に抽出された周波数分布と、姿勢毎に記憶された周波数分布とを比較することにより姿勢を判定することができる。
【００７８】
例えば、側臥位では、心拍成分より高周波である成分は（心拍成分に相当する周波数の整数倍を除き）検出されにくい。したがって、心拍成分より高周波成分が少ない場合は、患者の姿勢を「側臥位」と判定することができる。
【００７９】
なお、上述した説明では、周波数分布算出部１３５は、波形データから周波数分布を算出しているが、直接振動データから周波数分布を算出してもよい。この場合、ステップＳ１５４は実行されないこととなる。
【００８０】
［１．４  姿勢判定の条件］
ここで、上述した姿勢判定処理は、通常実行されてもよいし、所定条件に合致するときに実行されてもよい。以下、姿勢判定の条件として患者の体動を利用する。ここで、患者の体動とは、患者が寝返りをするなど、患者の姿勢に動きがあることをいう。
【００８１】
（１）区間毎に姿勢を判定する
例えば、体動を含まない連続区間は、同じ姿勢が継続されていると判定し、同じ姿勢が出力される。
【００８２】
この場合、体動を含まない区間をまとめて解析（姿勢判定処理の結果を適用）してもよい。また、ある一定区間（例えば、３分毎等）に姿勢判定処理の結果を集計する。その一定区間の中で体動を含まない区間がある場合、体動を含まない区間の中で最も多い姿勢の判定結果を当該区間の姿勢判定処理の結果として出力する。
【００８３】
（２）体動が生じていない区間のみの姿勢判定を行う
体動が生じていない区間のみ姿勢判定を行う。例えば、振動検出部１１０により、患者の体動が検出された場合、姿勢判定処理の実行を中止する。また、体動が検出され、体動が検出されなくなってから所定時間経過後（例えば、体動が検出されなくなってから１０秒後）に再び姿勢判定処理を実行すればよい。
【００８４】
［１．５  波形に基づく説明］
ここで、波形に基づいて患者の姿勢の判定について説明する。それぞれの波形は、２つの振動センサに基づいて検出された振動に基づく波形である。横軸は時間、縦軸は電圧値を示しており、検出された振動に基づく波形をそれぞれ示している。なお、患者の姿勢の判定については、説明の都合上、波形に基づく説明するが、時系列の振動データから傾向を検出して患者の姿勢を判定してもよい。
【００８５】
図７は、センサ内での波形に相関がなく、同一形状が繰り返して表されていない。すなわち、この波形は、腹臥位の姿勢を示す波形である（図５のステップＳ１２０）。
【００８６】
図８は、センサ間での波形に相関があり、センサ内の波形でも相関がある。すなわち、この波形は、仰臥位の姿勢を示す波形である（図５のステップＳ１１８）。
【００８７】
図９及び図１０は、センサ間に相関がない波形である。すなわち、この波形は、側臥位の姿勢を示す波形である（図５のステップＳ１１０）。図９と図１０を比較すると、左側臥位の波形である図１０のほうが、心拍による高周波の信号が顕著に認められる。
【００８８】
図１１は、波形から周波数分布を求めたグラフである。図１１は、図６のステップＳ１５６において、周波数分布を求めたことを示すグラフであり、図１１（ａ）が仰臥位を示す図であり、図１１（ｂ）が側臥位を示す図である。このように、波形（振動データ）から、更に周波数分布を抽出することにより、患者の姿勢を判定するができる。
【００８９】
［２．第２実施形態］
第２実施形態について説明する。第２実施形態は、複数の姿勢判定条件に基づいて、患者の姿勢を判定する実施形態である。
【００９０】
なお、第１実施形態の図５の動作フローを、図１２の動作フローに置き換えた実施形態であり、構成等の同一の部分については説明を省略する。
【００９１】
まず、患者状態判定部１４０は、振動データを取得する（ステップＳ２０２）。そして、波形算出部１３０により、波形が算出される（ステップＳ２０４）。つづいて、患者状態判定部１４０は、条件毎に指標（値）を算出し（ステップＳ２０６〜ステップＳ２１４）、算出された指標値から合計値を算出する（ステップＳ２１６）。
【００９２】
合計値は、「仰臥位」「腹臥位」「（左右）側臥位」のそれぞれの合計値が算出される。そして、患者状態判定部１４０は、最も大きな値となった姿勢を、患者の姿勢であるとして出力する。
【００９３】
ここで、患者状態判定部１４０は、ステップＳ２０６〜ステップＳ２１４において、条件毎に指標値を算出するが、指標値の算出方法について、図１３を参照して説明する。
【００９４】
（１）センサ内相関指数算出（ステップＳ２０６）
センサ内の波形に基づいた相関により算出されるセンサ内相関指標の値を算出する。まず、患者状態判定部１４０は、第１実施形態で説明した方法でセンサ内の波形に基づいて自己相関関数の値を算出する。
【００９５】
そして、患者状態判定部１４０は、前記自己相関関数の出力値を、重み付けを行ってセンサ内相関指標の値として出力する。ここで、重み付けの方法について説明する。
【００９６】
例えば、図１３を参照すると、センサ内相関指標は、「仰臥位」「側臥位」は「あり」となっており、「腹臥位」は「なし」となっている。
【００９７】
自己相関関数の出力値は「０〜１」の間となっている。ここで、図１３において「あり」（「仰臥位」「腹臥位」）の箇所は、出力値をそのままセンサ内相関指標の値とする。また、図１３において「なし」の箇所は、最大値から自己相関関数の出力値を減算したものをセンサ内相関指標の値とする。
【００９８】
具体例を説明すると、患者状態判定部１４０は、自己相関関数の出力値が「０．８」であれば、センサ内相関指標の値として、「仰臥位＝０．８」「腹臥位＝０．２」「側臥位＝０．８」を出力する。
【００９９】
（２）センサ間相互指標算出（ステップＳ２０８）
センサ間の波形に基づいた相関により算出されるセンサ間相関指標の値を算出する。まず、患者状態判定部１４０は、上述した方法で２つの波形データの相互相関関数を利用した出力値を算出する。
【０１００】
そして、患者状態判定部１４０は、前記出力値に重み付けを行ってセンサ内相関指標の値として出力する。ここで、重み付けの方法について説明する。
【０１０１】
例えば、図１３を参照すると、センサ間相関指標は、「仰臥位」は「あり」と、「腹臥位」は「あり／なし」と、「側臥位」は「なし」なっている。
【０１０２】
相互相関関数の出力値は「０〜１」の間となっている。ここで、図１３において「あり」（「仰臥位」）の箇所は、出力値をそのままセンサ内相関指標の値とする。また、図１３において「なし」の箇所（「側臥位」）は、最大値から出力値を減算したものをセンサ内相関指標の値とする。また、図１３において「あり／なし」（「腹臥位」）の箇所は、出力値を半分にしたものをセンサ間相互指標の値とする。
【０１０３】
具体例を説明すると、患者状態判定部１４０は、相互相関関数の出力値が「０．９」であれば、センサ間相関指標の値として、「仰臥位＝０．９」「腹臥位＝０．４５」「側臥位＝０．１」を出力する。
【０１０４】
（３）心拍波形指標値算出（ステップＳ２１０）
出力されている波形に心拍波形が載っている程度を示す心拍波形指標値を算出する。例えば、周波数分布算出部１３５により、呼吸成分の周波数以上の高周波数成分における心拍成分の周波数とその整数倍の周波数のパワースペクトル密度が占める比率が一定値以上の場合には、心拍波形が強く載っていると判定される。
【０１０５】
そして、患者状態判定部１４０は、波形に心拍波形が載っている場合は「１」、載っていない場合は「０」を出力する。更に、患者状態判定部１４０は、出力値に重み付けを行ったものを心拍波形指標の値として出力する。ここで、重み付けの方法について説明する。
【０１０６】
例えば、図１３を参照すると、心拍波形は「仰臥位」と「腹臥位」とでは載り方が小さい。また、「側臥位」の場合は大きく載る。また、「側臥位」についても、「左側臥位」の場合は大きく載るが、「右側臥位」の場合は、「仰臥位」「腹臥位」に比べると大きいが、「左側臥位」と比較すると小さく載る。
【０１０７】
したがって、「側臥位」の場合は、出力値が心拍波形指標値としてそのまま出力される。また、「仰臥位」及び「腹臥位」は、小さく（例えば、「０．１」倍としたり、「０」であったり等）出力される。
【０１０８】
（４）センサ間呼吸指標値（ステップＳ２１２）
患者状態判定部１４０は、波形における山、谷の形状についての指標を算出する。波形における谷から山になる部分は、例えば図１４の時間ｔ１→ｔ２の部分であり、山から谷になる部分は、例えば図１４の時間ｔ２→ｔ３の部分である。これらの部分は振動の遷移（圧力の遷移）を示しているが、通常は呼気／吸気に対応する。患者状態判定部１４０は、谷から山になる時間と、山から谷になる時間のどちらが長いかがセンサ間で同じか否かを判定し、姿勢判定区間内に含まれる時間の対応関係が同じペアの割合をセンサ間呼吸指標の値として算出する。図１３を参照すると、「仰臥位」と「腹臥位」とではセンサ間で同じとなる。
【０１０９】
したがって、センサ間呼吸指標の値をそのまま出力する。また、「側臥位」の場合は、同じ場合もあれば反対となってしまう場合もあるため、上述した同じペアの割合を「０．５」倍したものをセンサ間呼吸指標の値として出力する。
【０１１０】
（５）呼吸指標値算出（ステップＳ２１４）
患者状態判定部１４０は、波形における谷から山の時間と、山から谷の時間との比較結果についての指標を算出する。
【０１１１】
このとき、患者状態判定部１４０は、波形から、姿勢判定区間内に含まれる谷から山の時間と、山から谷の時間の長さを比較し、２つの区間の長さが「短→長」の関係となる部分が検出できるか否かを判定する。そして、患者状態判定部１４０は、「短→長」の関係となるペアの割合を出力値として出力する。
【０１１２】
また、図１３を参照すると、「仰臥位」の場合は、「短→長」が多く出来ることから、患者状態判定部１４０は、算出された出力値から０．５を減じた値を呼吸指標の値としてそのまま出力する。また、患者状態判定部１４０は、「腹臥位」と「側臥位」とでは特徴が出にくいところから呼吸指標値は出力しない（「０」を出力する）。
【０１１３】
このように、各指標値を利用して患者の姿勢を判定することが可能となり、より適切な患者の姿勢を判定することが可能となる。
【０１１４】
なお、本実施形態においても、振動データに基づいて、波形を算出することとして説明したが、単純に振動データに基づいて患者の姿勢が判定されてもよい。すなわち、図１２のステップＳ２０４が実行されず、ステップＳ２０２からステップＳ２０６に処理を遷移させてもよい。
【０１１５】
例えば、心拍波形指標は、振動データを周波数分析することで判定することができる。また、呼吸指標においては、波形の山や谷は、振動データの最大値（近傍）、最小値（近傍）が抽出できれば、波形と同様に捉えることが可能となる。
【０１１６】
［３．第３実施形態］
つづいて、第３実施形態について説明する。本実施形態は、患者状態判定部１４０が、人工知能（機械学習）を用いて患者の姿勢を判定する場合について説明する。
【０１１７】
本実施形態は、図５の処理の代わりに、図１５の患者状態推測部７００に基づいて患者の状態の１つである患者の姿勢を推測する。
【０１１８】
ここで、本実施形態における患者状態推測部７００の動作について説明する。患者状態推測部７００は、振動データや、患者の状態を入力値（入力データ）とし、人工知能や各種統計指標を利用することにより、患者の姿勢を推測する。
【０１１９】
図１５に示すように、患者状態推測部７００は、特徴抽出部７１０と、識別部７２０と、識別辞書７３０と、患者状態出力部７４０とが含まれている。
【０１２０】
まず、患者状態推測部７００に入力される入力データとしては、種々のパラメータが入力され、利用される。例えば、本実施形態においては、振動データとしての振動データと、振動データから算出される波形データとが利用されている。
【０１２１】
そして、特徴抽出部７１０により、各特徴点が抽出され、特徴ベクトルとして出力される。ここで、特徴抽出部７１０が、特徴点として抽出するものは、例えば以下のものが考えられる。
【０１２２】
（１）センサ内の相関があるかないか
（２）センサ間の相関があるかないか
（３）心拍波形が波形データに載っているか否か
（４）呼吸波形の谷から山の時間が山から谷の時間に対して短いか長いか
（５）２山波形の出現率が多いか少ないか
（６）波形データにおいて、中央線から上下の面積の差があるかないか
（７）センサ間の心拍波形の違い・載り方に差はあるかないか
【０１２３】
特徴抽出部７１０は、これらの特徴点を１又は複数組み合わせることにより、特徴ベクトルが出力される。なお、特徴点として説明したものは１例であり、当該値に限定されるものではない。また、このように、各値は、説明の都合上の値である。そして、該当する特徴点は「１」、非該当の特徴点は「０」が出力されでも良いし、確率変数が出力されても良い。
【０１２４】
そして、上述した特徴点を全て含まれる場合は、特徴空間は７次元であり、７次元の特徴ベクトルとして識別部７２０に出力される。
【０１２５】
識別部７２０は、入力された特徴ベクトルから、患者状態に対応するクラスを識別する。このとき、識別辞書７３０として、事前に用意した複数のプロトタイプと照合することにより、クラスを識別する。プロトタイプは、各クラスに対応する特徴ベクトルとして記憶していても良いし、クラスを代表する特徴ベクトルを記憶していてもよい。
【０１２６】
クラスを代表する特徴ベクトルが記憶されている場合には、最も近いプロトタイプの属するクラスを決定する。このとき、識別部７２０は、最近傍決定則により決定してもよいし、近傍法により識別してもよい。
【０１２７】
なお、識別部７２０が利用する識別辞書７３０は、予めプロトタイプを記憶してもよいし、機械学習を利用して記憶することとしても良い。
【０１２８】
そして、識別部７２０により識別されたクラスに対応して、患者状態出力部７４０により患者状態の１つとして（寝）姿勢が出力される。出力される患者の状態としては、「仰臥位」「腹臥位」「側臥位」等が識別されてもよいし、そのまま確率変数が出力されても良い。
【０１２９】
これにより、本実施形態によれば、センサから出力された振動データを取得し、これらの情報から、患者の姿勢を推測することが可能となる。
【０１３０】
［４．第４実施形態］
第４実施形態について説明する。第４実施形態は、第３実施形態の患者状態推測部７００において、波形データに基づいて、ニューラルネットワークを利用したディープラーニングを利用して患者の姿勢を推測する場合の実施形態である。
【０１３１】
本実施形態では、患者状態推測部７００に、患者の波形データを入力する。患者状態推測部７００は、入力された波形データから患者状態（姿勢）を推測するが、この推測する処理としては、最近はディープラーニング（ディープニューラルネットワーク）が特に画像認識において高い精度を出している。本実施形態でも一例として当該方法を利用する。このディープラーニングにおける処理について、図１６を用いて簡単に説明する。
【０１３２】
まず、患者状態推測部７００は、波形算出部１３０により出力される波形データ（画像データ）の信号を、複数の層と、各層に含まれるニューロンによって構成されるニューラルネットワークに入力する。各ニューロンは別の複数のニューロンから信号を受け取り、演算を施した信号を別の複数のニューロンへ出力する。ニューラルネットワークが多層構造の場合、信号が流れる順に、入力層、中間層（隠れ層）、出力層と呼ばれる。
【０１３３】
ニューラルネットワークの中間層が複数の層からなっているものはディープニューラルネットワーク（例えば、畳み込み演算を持つConvolutional Neural Network（畳み込みニューラルネットワーク））と呼ばれ、これを用いた機械学習の手法をディープラーニングと呼ぶ。
【０１３４】
波形データはニューラルネットワークの各層のニューロンに各種演算（畳み込み演算、プーリング演算、正規化演算、行列演算等）が施され、形を変えながら流れ、出力層から複数の信号が出力される。
【０１３５】
ニューラルネットワークからの複数の出力値は、それぞれ、患者の姿勢に紐づいていて、値が最も大きい出力値に紐づく患者の姿勢と推測する、というような処理を行う。又は、患者の状態である姿勢を直接出力しなくとも、一又は複数の出力値を分類器に通して、分類器の出力から患者の姿勢を推測してもよい。
【０１３６】
ニューラルネットワークの各種演算に用いる係数であるパラメータは、事前にニューラルネットワークへ数多くの波形データと、当該波形データにおける対応する患者の姿勢とを入力し、出力値と正解値との誤差を、誤差逆伝播法により、ニューラルネットワークを逆方向に伝搬し、各層のニューロンのパラメータを何度も更新することによって決まる。このように、パラメータを更新し、決める工程を学習と呼ぶ。
【０１３７】
ニューラルネットワークの構造や、個々の演算については、書籍や論文で解説された公知技術であり、その何れかの技術を利用すれば良い。
【０１３８】
このように、患者状態推測部７００を利用することにより、センサから出力された振動データから算出された振動波データを参照することにより、患者の姿勢が出力される。
【０１３９】
なお、本実施形態では、波形の画像データとしてニューラルネットワークを利用して推測する例を説明したが、単に振動データ（時系列の電圧出力値）を入力し、学習させることで患者の姿勢を推測させることとしてもよい。また、フーリエ変換や離散コサイン変換で周波数領域の信号に変換したデータを入力し、学習させることで患者の姿勢を推測させることとしてもよい。
【０１４０】
［５．適用例］
上述した姿勢判定装置については、他の装置に組み込むことで以下のような適用例が考えられる。
【０１４１】
［５．１  ベッド装置］
図１７にベッド装置の構成を示す。ベッド装置１０は、背ボトム１２と、腰ボトム１４と、膝ボトム１６と、足ボトム１８とを有している。利用者Ｐは、背ボトム１２により上体が支持され、腰ボトム１４により、腰部が支持されている。
【０１４２】
駆動制御部１０００は、ベッド装置の駆動を制御する。ここで、駆動制御部１０００は、ボトムを動作させることにより、背上げ、膝上げ（足下げ）機能等を制御するためのボトム制御部１１００の機能を実現する。
【０１４３】
背上げ機能を実現するために、ボトム制御部１１００には、背ボトム駆動部１１１０と、膝ボトム駆動部１１２０とが接続されている。背ボトム駆動部１１１０は、例えば、アクチュエータであり、リンク機構を介して背上げ用のリンクと連結されている。そして、背ボトム駆動部１１１０の制御により、リンクにより載置された背ボトム１２が動作し、背上げ・背下げ制御が行われる。
【０１４４】
また、膝ボトム駆動部１１２０は、例えば、アクチュエータであり、リンク機構を介して膝上げ用のリンクと連結されている。そして、膝ボトム駆動部１１２０の制御により、リンクに載置された膝ボトム１６と、更に連結された足ボトム１８とが動作し、膝上げ・膝下げ（足下げ・足上げ）制御が行われる。
【０１４５】
そして、ベッド装置が背上げ動作を行おうとした場合、ボトム制御部１１００は、患者状態判定部１４０により患者の姿勢が「腹臥位」と判定された場合には、背上げ動作を行わない。すなわち、利用者が背上げ動作を選択しても、ボトム制御部１１００は、背ボトム駆動部１１１０を駆動させず、背上げ動作が行われない。また、ベッド装置が自動運転の場合にも、患者状態判定部１４０により患者の姿勢が「腹臥位」と判定されている場合は、ボトム制御部１１００は、背上げ動作を行わない。
【０１４６】
この場合の動作について、図１８を参照して説明する。まず、利用者により動作が選択されたか否かを判定する（ステップＳ３０２）。例えば、入力部１６０（操作リモコン）により、利用者により背上げボタンが選択される。これにより、背上げ動作が選択されたことを制御部１００は判定する。
【０１４７】
つづいて、制御部１００（患者状態判定部１４０）は、姿勢判定処理を実行する（ステップＳ３０４）。姿勢判定処理は、患者状態判定部１４０により、上述した何れかの姿勢判定処理が実行され、ベッド装置上の患者の姿勢が判定される。
【０１４８】
ここで、制御部１００は、患者の姿勢は特定の姿勢になっているか否かを判定する（ステップＳ３０６）。本適用例では、制御部１００は、患者の姿勢が「腹臥位」であれば背上げ動作を実行しない（ステップＳ３０６；Ｙｅｓ）。それ以外の姿勢であれば、制御部１００は、ボトム制御部１１００（背ボトム駆動部１１１０）に指示を出すことにより、背上げ動作を実行する（ステップＳ３０６；Ｙｅｓ→ステップＳ３０８）。
【０１４９】
そして、制御部１００は、利用者により背上げ動作が解除される（例えば、利用者・患者により中止操作がされたり、背上げボタンが解除されたりする等）と、背上げ動作を停止する（ステップＳ３１０；Ｙｅｓ→ステップＳ３１２）。
【０１５０】
また、制御部１００は、背上げ動作中に、患者の姿勢が特定姿勢となった場合（例えば、背上げ動作中に腹臥位となってしまった場合）にも背上げ動作を停止する（ステップＳ３０６；Ｙｅｓ→ステップＳ３１２）。
【０１５１】
［５．２  体位変換］
褥瘡リスク把握のため、体位変換（姿勢変換）の頻度や、姿勢ごとの割合を自動記憶する。すなわち、患者状態判定部１４０により判定された患者の姿勢を自動的に記憶することで、介護や治療に活用する。
【０１５２】
また、患者状態判定部１４０により判定された姿勢が同一の状態で所定時間を経過したら、報知したり、自動的に体位変換を行ったりする。例えば、図１７に示すように、駆動制御部１０００は、体位変換駆動部１２００を制御する。体位変換駆動部１２００は、例えば患者の左右に設けられたエアセルを膨縮させたり、左右のボトムを起伏させたりすることにより、患者の体位を変換する。
【０１５３】
駆動制御部１０００は、患者状態判定部１４０により判定された姿勢に応じて体位変換駆動部１２００を制御し、患者Ｐの体位を変える制御を行う。
【０１５４】
例えば、図１８の処理を例に説明する。体位変換の動作が選択されると（ステップＳ３０２；Ｙｅｓ）、患者状態判定部１４０は、上述した何れかの方法により患者の姿勢を判定する（ステップＳ３０４）。
【０１５５】
ここで、判定された姿勢は特定姿勢であるか否かを判定する。例えば、患者が右側臥位の姿勢であれば、体位変換駆動部１２００は、右側に設けられたエアセルを制御することにより、体位変換を行う。また、患者が左側臥位の姿勢であれば、体位変換駆動部１２００は、左側に設けられたエアセルを制御することにより、体位変換を行う。また、患者が腹臥位であれば体位変換は行わない。
【０１５６】
また、姿勢が所定時間継続している場合に、体位変換を行ってもよい。例えば、姿勢安定処理により判定された姿勢が、同じ姿勢を１０分以上継続している場合には、体位変換を行うといった処理を実行してもよい。
【０１５７】
［５．３  報知装置］
患者状態判定部１４０により判定された患者の姿勢に応じて報知を行う構成を設ける。報知方法としては、音声出力装置や、表示装置であってもよいし、他の端末（例えば医療従事者が所持している携帯端末装置）に報知する方法であってもよい。
【０１５８】
報知するタイミングとしては、例えば、患者に麻痺がある場合には、麻痺側を下にすると褥瘡リスクが高まる。したがって、患者状態判定部１４０により判定された姿勢が、麻痺側が下になる側臥位の場合には報知を行う。
【０１５９】
また、乳幼児のうつ伏せ寝による窒息死防止のため、患者状態判定部１４０により姿勢が腹臥位と判定された場合には報知を行う。
【０１６０】
［６．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１６１】
また、本実施形態においては、検出装置３で出力された結果に基づき、処理装置５において患者の姿勢を判定しているが、１つの装置で全て判定してもよい。また、端末装置（例えばスマートフォン、タブレット、コンピュータ）にアプリケーションをインストールして実現するだけでなく、例えばサーバ側で処理をして、処理結果を端末装置に返しても良い。
【０１６２】
例えば、検出装置３から、振動データをサーバにアップロードすることで、サーバ側で上述した処理を実現してもよい。この検出装置３は、例えば加速度センサ、振動センサを内蔵したスマートフォンのような装置で実現してもよい。
【０１６３】
また、上述した実施形態において、振動センサは２つあることとして説明したが、それ以上設けられても良い。また、第１実施形態の周波数分布を算出して姿勢を判定する方法においては、センサが１つでも実現可能である。
【０１６４】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤ、ＳＳＤの記憶装置に格納され、必要に応じてＣＰＵによって読み出し、修正・書き込みが行なわれる。
【０１６５】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１６６】
１  システム
３  検出装置
５  処理装置
１０  ベッド装置
１２  背ボトム
１４  腰ボトム
１６  膝ボトム
１８  足ボトム
２０  マットレス
１００  制御部
１１０  振動検出部
１２０  生体情報算出部
１３０  波形算出部
１３５  周波数分布算出部
１４０  患者状態判定部
１５０  記憶部
１５２  振動データ記憶領域
１５４  波形データ記憶領域
１６０  入力部
１７０  出力部
７００  患者状態推測部
７１０  特徴抽出部
７２０  識別部
７３０  識別辞書
７４０  患者状態出力部
【図１】
2019098069.tif 000003
【図２】
2019098069.tif 000004
【図３】
2019098069.tif 000005
【図４】
2019098069.tif 000006
【図５】
2019098069.tif 000007
【図６】
2019098069.tif 000008
【図７】
2019098069.tif 000009
【図８】
2019098069.tif 000010
【図９】
2019098069.tif 000011
【図１０】
2019098069.tif 000012
【図１１】
2019098069.tif 000013
【図１２】
2019098069.tif 000014
【図１３】
2019098069.tif 000015
【図１４】
2019098069.tif 000016
【図１５】
2019098069.tif 000017
【図１６】
2019098069.tif 000018
【図１７】
2019098069.tif 000019
【図１８】
2019098069.tif 000020